(57)【要約】【課題】様々な厚みのかぶせ式扉に容易に取り付けることができる防犯錠を提供すること。【解決手段】室内側から扉１と扉枠２の間に延設された首部５と、この首部５の先端から扉１のかぶせ部１ａと並行するように延設されたオフセット部６と、このオフセット部６の先端から扉１の開き方向に突設された保持片本体７とにより施錠部材保持片３を構成するとともに、首部５を伸縮可能に構成する。【選択図】図１
2007303230.tif 000002
【特許請求の範囲】
【請求項１】
かぶせ式扉の扉枠側に、扉の開き方向に突出する施錠部材保持片を取り付け、該施錠部材保持片に施錠部材を装着し、該施錠部材を扉に当接させることにより施錠を行う防犯錠において、施錠部材保持片が、室内側から扉と扉枠の間に延設された首部と、該首部の先端から扉のかぶせ部と並行するように延設されたオフセット部と、該オフセット部の先端から扉の開き方向に突設された保持片本体とを備え、前記首部を伸縮可能に構成したことを特徴とする防犯錠。
【請求項２】
首部を、内向きの掛止突部を備えた外片と、該外片の内側に摺動可能に配設され、外片の掛止突部に当接することにより摺動を制限する外向きの掛止突部を備えた内片と、外片を内片と共に被覆するカバーとで構成したことを特徴とする請求項１記載の防犯錠。
【請求項３】
オフセット部に磁石を配設したことを特徴とする請求項１又は２記載の防犯錠。
【請求項４】
保持片本体が貫通するスリットを設けた当て板と、該当て板の外側から保持片本体に形成した透孔に掛ける汎用の錠とによって施錠するようにするとともに、前記当て板を、錠の本体の位置まで下方に延設するようにしたことを特徴とする請求項１、２又は３記載の防犯錠。
【発明の詳細な説明】
【技術分野】
【０００１】
本発明は、例えば、マンション等の開き扉に後付けの補助錠として使用する防犯錠に関し、特に、様々な厚みのかぶせ式扉に容易に取り付けることができる防犯錠に関するものである。
【背景技術】
【０００２】
近年、ピッキングによる盗難対策として、マンション等の開き扉に後付けの防犯錠が設置される機会が多くなっている。
この防犯錠としては、例えば、特許文献１に開示されるように、開き扉の扉枠側に、開き扉の開き方向に突出する施錠部材保持片を取り付け、この施錠部材保持片に施錠部材を装着し、この施錠部材を開き扉に外側から当接させることにより施錠を行う防犯錠が知られている。
【０００３】
ところで、開き扉には、扉と扉の竪枠間の隙間を覆うかぶせ部（かぶせ板）を備えた扉（本明細書において、「かぶせ式扉」という。）がある。
このかぶせ式扉は、竪枠との隙間を室外側から覆うように、扉の先端にかぶせ部が突設されているため、このかぶせ部を避けるために、施錠部材保持片をオフセットする必要がある。
しかしながら、上記かぶせ式扉においても扉の厚みは様々であり、例えば、施錠部材保持片をクランプ等により扉枠の一部に固定する防犯錠の場合は、オフセット部が扉枠と干渉したり扉枠から離間して突出したりするため、装着が困難である等の問題を有している。
【特許文献１】特開平９−１００６６５号公報
【発明の開示】
【発明が解決しようとする課題】
【０００４】
本発明は、上記従来の防犯錠が有する問題点に鑑み、様々な厚みのかぶせ式扉に容易に取り付けることができる防犯錠を提供することを目的とする。
【課題を解決するための手段】
【０００５】
上記目的を達成するため、本発明の防犯錠は、かぶせ式扉の扉枠側に、扉の開き方向に突出する施錠部材保持片を取り付け、該施錠部材保持片に施錠部材を装着し、該施錠部材を扉に当接させることにより施錠を行う防犯錠において、施錠部材保持片が、室内側から扉と扉枠の間に延設された首部と、該首部の先端から扉のかぶせ部と並行するように延設されたオフセット部と、該オフセット部の先端から扉の開き方向に突設された保持片本体とを備え、前記首部を伸縮可能に設けたことを特徴とする
【０００６】
この場合において、首部を、内向きの掛止突部を備えた外片と、該外片の内側に摺動可能に配設され、外片の掛止突部に当接することにより摺動を制限する外向きの掛止突部を備えた内片と、外片を内片と共に被覆するカバーとで構成することができる。
【０００７】
また、オフセット部に磁石を配設することができる。
【０００８】
また、保持片本体が貫通するスリットを設けた当て板と、該当て板の外側から保持片本体に形成した透孔に掛ける汎用の錠とによって施錠するようにするとともに、前記当て板を、錠の本体の位置まで下方に延設するようにすることができる。
【発明の効果】
【０００９】
本発明の防犯錠によれば、施錠部材保持片が、室内側から扉と扉枠の間に延設された首部と、該首部の先端から扉のかぶせ部と並行するように延設されたオフセット部と、該オフセット部の先端から扉の開き方向に突設された保持片本体とを備え、前記首部を伸縮可能に構成することから、かぶせ式扉の厚みが様々であっても、首部を伸縮させることによってこれに対応することができ、これにより、オフセット部が扉枠と干渉したり扉枠から離間して突出したりすることなく、施錠部材保持片をクランプ等により扉枠の一部に容易に取り付けることができる。
【００１０】
また、首部を、内向きの掛止突部を備えた外片と、該外片の内側に摺動可能に配設され、外片の掛止突部に当接することにより摺動を制限する外向きの掛止突部を備えた内片と、外片を内片と共に被覆するカバーとで構成することにより、首部の強度を強固にすることができる。
【００１１】
また、オフセット部に磁石を配設することにより、オフセット部を扉枠に磁着し、伸縮可能に構成された施錠部材保持片を体裁良く安定した状態で固定することができる。
【００１２】
また、保持片本体が貫通するスリットを設けた当て板と、該当て板の外側から保持片本体に形成した透孔に掛ける汎用の錠とによって施錠するようにするとともに、前記当て板を、錠の本体の位置まで下方に延設するようにすることにより、錠が扉にぶつかることによる扉の傷付きを防止することができる。
【発明を実施するための最良の形態】
【００１３】
以下、本発明の防犯錠の実施の形態を、図面に基づいて説明する。
【実施例１】
【００１４】
図１〜図６に、本発明の防犯錠の一実施例を示す。
この防犯錠は、かぶせ式扉１の扉枠２側に、扉１の開き方向に突出する施錠部材保持片３を取り付け、該施錠部材保持片３に施錠部材４を装着し、該施錠部材４を扉１に当接させることにより施錠を行うようにしている。
そして、この防犯錠は、室内側から扉１と扉枠２の間に延設された首部５と、該首部５の先端から扉１のかぶせ部１ａと並行するように延設されたオフセット部６と、該オフセット部６の先端から扉１の開き方向に突設された保持片本体７とにより施錠部材保持片３を構成するとともに、前記首部５を伸縮可能に構成している。
【００１５】
施錠部材保持片３は、図１〜図４に示すように、首部５の基部にクランプホルダ８を一体に設け、該クランプホルダ８を扉枠２の室内側の桟に挟着することにより取り付けられている。
クランプホルダ８は、ホルダ本体８１に回動可能に枢支したねじボルト８２に把持片８３を螺合させており、これにより、ねじボルト８２を軸方向に出没させることなく把持片８３のみを移動させ、クランプホルダ８を扉枠２に固定できるようにしている。
このように、施錠部材保持片３をクランプホルダ８により固定することにより、施錠部材保持片３を扉枠２の先端面にビス止めする方法等に比較して、金属製の扉枠２にも容易に取り付けることができる。また、賃貸住宅等でビス止め方法を用いることができない場合にも適用することができる。
【００１６】
施錠部材保持片３の首部５は、首部５を伸縮可能にするために、例えば、図３〜図６に示すように、クランプホルダ８側に設けられ、内向きの掛止突部５１を備えたチャネル形状の外片５２と、該外片５２の内側に摺動可能に配設され、外片５２の掛止突部５１に当接することにより摺動を制限する外向きの掛止突部５３を備えた内片５４と、外片５２を内片５４と共に被覆する断面コ字状又は複数の板体で形成したカバー５５とにより構成されている。
この場合、外片５２とカバー５５とは、スポット溶接等を用いて一体化するようにし、これにより、首部５の強度を一層強固にすることができる。
また、首部５を伸縮可能にするための機構は、本実施例において採用している機構に限定されず、例えば、外片５２と内片５４の位置を逆に配置したり、外片５２及び内片５４に掛止突部５１、５３をそれぞれ１個ずつ備えるようにする等、伸縮量を規制可能な種々の伸縮機構を用いることができる。
内片５４の先端側には、図６に示すように、オフセット部６と保持片本体７とが一体に設けられている。
なお、この内片５４の摺動範囲、すなわち首部５の伸縮範囲は、図２に示すように、施錠部材保持片３を薄めの扉１に取り付けた場合でも、施錠部材４が扉１に当接して施錠状態が確保されるように設定されている。
【００１７】
オフセット部６は、首部５の先端から扉のかぶせ部１ａの先端側に並行するように延設されており、扉枠２の外側に磁着する磁石６１が埋設されている。
これにより、オフセット部６を扉枠２に磁着し、伸縮可能に構成された施錠部材保持片３を体裁良く安定した状態で固定するようにしている。
この場合、かぶせ部１ａの幅方向の長さの異なる扉１に対応できるように、オフセット部６に、首部５を伸縮可能にするための機構と同様の機構を採用して、オフセット部６を伸縮可能に構成することもできる。
【００１８】
保持片本体７には、施錠部材４が係止する施錠用係止部としての透孔７１が形成されている。
施錠部材４は、図６（ｄ）に示すように、直方体状の本体４０に、錠機構として、シリンダ錠４１と、シリンダ錠４１と反対側に形成され、施錠部材保持片３の保持片本体７が挿入されるスリット状の穴４３とを有し、シリンダ錠４１に鍵４２を差し込んで回すことにより、スリット状の穴４３の奥に出没可能に設けられたラッチボール４４を突出状態で固定するように構成されている。
そして、スリット状の穴４３に挿入された保持片本体７の透孔７１を、このラッチボール４４で係止することにより、施錠部材保持片３に施錠できるように構成されている。
【００１９】
一方、保持片本体７は、上記のような専用の施錠部材４の他にも、例えば、図７〜図８に示すように、保持片本体７が貫通するスリット９１を設けた当て板９と、該当て板９の外側から保持片本体７の透孔７１に掛ける汎用の錠１０とによっても施錠することができる。
当て板９は、扉１と錠１０の間に配設される緩衝部材としての機能もなし、錠１０の本体の位置まで下に長く延設するとともに、背面にゴムシート９２を貼付することにより、錠１０が扉１にぶつかることによる扉１の傷付きを防止している。
錠１０には、ダイヤル式やキーを用いた南京錠等を適宜選択することができ、扉１を閉め、当て板９を保持片本体７に装着した後、保持片本体７の透孔７１に錠１０のアームを掛けることにより施錠する。
【００２０】
かくして、本実施例の防犯錠は、施錠部材保持片３が、室内側から扉１と扉枠２の間に延設された首部５と、該首部５の先端から扉１のかぶせ部１ａと並行するように延設されたオフセット部６と、該オフセット部６の先端から扉１の開き方向に突設された保持片本体７とを備え、前記首部５を伸縮可能に構成することから、かぶせ式扉１の厚みが様々であっても、首部５を伸縮させることによってこれに対応することができ、これにより、オフセット部６が扉枠２と干渉したり扉枠２から離間して突出したりすることなく、施錠部材保持片３をクランプ等により扉枠２の一部に容易に取り付けることができる。
【００２１】
また、首部５を、内向きの掛止突部５１を備えた外片５２と、該外片５２の内側に摺動可能に配設され、外片５２の掛止突部５１に当接することにより摺動を制限する外向きの掛止突部５３を備えた内片５４と、外片５２を内片５４と共に被覆するカバー５５とで構成することにより、首部５の強度を強固にすることができる。
【００２２】
また、オフセット部６に磁石６１を配設することにより、オフセット部６を扉枠２に磁着し、伸縮可能に構成された施錠部材保持片３を体裁良く安定した状態で固定することができる。
【００２３】
また、保持片本体７が貫通するスリット９１を設けた当て板９と、該当て板９の外側から保持片本体７に形成した透孔７１に掛ける汎用の錠１０とによって施錠するようにするとともに、前記当て板９を、錠１０の本体の位置まで下方に延設するようにすることにより、錠１０が扉１にぶつかることによる扉１の傷付きを防止することができる。
【００２４】
以上、本発明の防犯錠について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２５】
本発明の防犯錠は、かぶせ式扉の厚みが様々であっても、施錠部材保持片の一部を伸縮させることにより、オフセット部が扉枠と干渉したり扉枠から離間して突出したりすることなく施錠部材保持片を容易に取り付けることができるという特性を有していることから、特に、ビス止めがしにくい金属製のかぶせ式扉や種々の制約によってビス止め方法を適用できないかぶせ式扉に好適に用いることができる。
【図面の簡単な説明】
【００２６】
【図１】本発明の防犯錠の一実施例を厚めのかぶせ式扉に取り付けた状態を示す断面図である。
【図２】同薄めのかぶせ式扉に取り付けた状態を示す断面図である。平面図である。
【図３】図１の状態の施錠部材保持片を示し、（ａ）は平面透視図、（ｂ）は正面透視図、（ｃ）は左側面透視図である。
【図４】図２の状態の施錠部材保持片を示し、（ａ）は平面透視図、（ｂ）は正面透視図である。
【図５】首部の外片を示し、（ａ）は平面図、（ｂ）は正面図、（ｃ）は底面図、（ｄ）は左側面図、（ｅ）は右側面図である。
【図６】首部の内片と施錠部材を示し、（ａ）は内片の平面図、（ｂ）は同正面図、（ｃ）は同左側面図、（ｄ）は施錠部材の分解斜視図である。
【図７】他の施錠部材を装着した実施例を示し、（ａ）は当て板を保持片本体に装着した状態を示す正面図、（ｂ）は同側面図、（ｃ）はさらに汎用の錠を装着した状態を示す正面図、（ｄ）は同側面図である。
【図８】当て板を示し、（ａ）はその正面図、（ｂ）は同側面図、（ｃ）は同背面図、（ｄ）は同平面図、（ｅ）はゴムシートの正面図、（ｆ）は同側面図である。
【符号の説明】
【００２７】
１    かぶせ式扉
１ａ  かぶせ部
２    扉枠
３    施錠部材保持片
４    施錠部材
５    首部
５１  掛止突部
５２  外片
５３  掛止突部
５４  内片
５５  カバー
６    オフセット部
６１  磁石
７    保持片本体
７１  透孔
８    クランプホルダ
９    当て板
９１  スリット
９２  ゴムシート
１０  錠
【図１】
2007303230.tif 000003
【図２】
2007303230.tif 000004
【図３】
2007303230.tif 000005
【図４】
2007303230.tif 000006
【図５】
2007303230.tif 000007
【図６】
2007303230.tif 000008
【図７】
2007303230.tif 000009
【図８】
2007303230.tif 000010